(57)【要約】【課題】本発明は、動画等の視聴に留まらず、画面操作も可能なスタンド機能を持つモバイル電子機器カバーを提供する。【解決手段】四角形状をなす板体を備え、その板体の一辺を底辺とした場合、二等辺三角形を成す頂点で交わった線と前記の頂点から他方へと延びる線で山折りとなり、その他端に並列された２つの磁性体を備え、少なくともその一方は磁石であり、二つの磁性体が連結することによって前記板体をスタンド機能させる事を特徴とするモバイル電子機器用カバー。 【選択図】図４
2020194409.tif 000002
【特許請求の範囲】
【請求項１】
四角形状をなす板体を備え、その板体の一辺を底辺とした場合、二等辺三角形を成す頂点で交わった線と前記の頂点から他方へと延びる線で山折りとなり、その他端に並列された２つの磁性体を備え、少なくともその一方は磁石であり、二つの磁性体が連結することによって前記板体をスタンド機能させる事を特徴とするモバイル電子機器用カバー。
【請求項２】
前記板体における前記底辺と接続されたモバイル電子機器本体側ケースを更に備える請求項１に記載のモバイル電子機器カバー。
【請求項３】
前記モバイル電子機器本体側ケースの一端に磁性体が備え、前記モバイル電子機器用カバーの磁性体と連結することにより、前記スタンドを格納するとともに前記モバイル電子機器のディスプレイを保護することを特徴とする請求項２に記載のモバイル電子機器用カバー。
【請求項４】
前記板体に孔が空いている請求項２に記載のモバイル電子機器用カバーである。
【請求項５】
前記板体と前記モバイル電子機器本体側カバーはベルトを連結するための環を更に備える請求項２に記載のモバイル電子機器用カバー。
【発明の詳細な説明】
【技術分野】
【０００１】
本発明は、動画等の視聴に留まらず、画面操作も可能なスタンド機能を持つモバイル電子機器カバーに関するものである。
【背景技術】
【０００２】
従来のモバイル電子機器カバーは本体を保護する目的と共に、スタンド機能を有しているものがあるが、そのスタンド機能の目的が動画等を視聴するためのものにすぎなかった。スタンドしている時に触ることを想定していないため、さまざまな操作ができるようになった現在では、中央以外の部分をタップした時の耐久性が非常に不十分である。
また、そのスタンド機能の為に内蔵された磁石はモバイル電子機器カバーの背面に施されているため、財布等に入れている磁気カードと接触するとデーターを損失する危険性が高かった。
【先行技術文献】
【特許文献】
【０００３】
【特許文献１】特開２０１７−１５８１６５号公報
【発明の概要】
【発明が解決しようとする課題】
【０００４】
今日のモバイル電子機器の使用は、インターネット、テレビ、動画の視聴に留まらず、ゲームや電卓、動画や画像編集等多岐にわたる。それに伴い見ているだけではなく、タップやフリック、ピンチ、ドラッグ等様々な操作方法を行うシーンが増加している。そしてタップの種類のひとつである３タップは強く押すことで通常と違う効果を適用することができる。こういった機能を余すことなく使う為には従来の観賞目的のスタンド機能の耐久力では不十分であった。
本発明はこのような問題点を解決し、タップやフリック等様ざまな操作方法を可能にするスタンド機能を縦置き横置きでも実現するモバイル電子機器カバーを提供することにある。
【課題を解決するための手段】
【０００５】
前記目的を達成するため、本発明は、次に記載する構成を備えている。
四角形状をなす板体を備え、その板体を四角形とする一辺を底辺とした場合、二等辺三角形（１）を成す頂点で交わった線と前記の頂点から他方へと延びる線で山折りとなり、その他端に並列された２つの磁性体（４、５）を備え、少なくともその一方は磁石であり二つの磁性体（４、５）が連結することによって板体（１０１）をスタンドとして機能させることを特徴とする。
モバイル電子機器本体側のカバーの一端に磁石（６、７）が備えられ、前記板体の磁石（４、５）と連結することで前記スタンドを格納すると共に、ディスプレイをほごすることができる。
前記板体（１０１）に穴をあけることにより、図６に示すように穴に指を通してグリップとなり、持ちながら安定して使うことができる機能を有するモバイル電子機器用カバーである。
【０００６】
図１５、１６のようにモバイル電子機器本体側カバー（２００）にそれぞれ環を備えることでベルトを連結できるため、手提げベルトや斜め掛けベルトなどで持ち歩きも容易になる機能を有するモバイル電子機器用カバー。
【発明の効果】
【０００７】
本発明のモバイル電子機器カバーのスタンド機能は、マグネットでしっかり立体になるため、縦置き横置き共にしっかりと支えるのでモバイル電子機器の様々な操作を安定して行うことができる。
またスタンド機能として使わない時にはモバイル電子機器本体側のマグネットと連結するのでモバイル電子機器を保護するカバーの役割も果たす。
またマグネットを一端に集結させるため、磁気カードのデーター消失の危険性を減らすことができる。
立体になったスタンド部分に指が通る切込みカーブを付けるとハンドグリップの役割も果たし、安定して使用することができる。
前記モバイル電子機器カバーの両面に環を付けることでベルトと連結できるため、持ち運びが容易になる。
【図面の簡単な説明】
【０００８】
【図１】本発明のモバイル電子機器カバー２００の正面図である。
【図２】スマートフォン１４を本発明のモバイル電子機器カバー２００に装着した図である。
【図３】縦置きスタンド機能使用時における本発明のモバイル電子機器カバー２００の背面図である。
【図４】縦置きスタンド機能使用時における本発明のモバイル電子機器カバー２００の側面図
【図５】縦置きスタンド機能使用時における本発明のモバイル電子機器カバー２００の平面図
【図６】縦置きスタンド機能使用時における本発明のモバイル電子機器カバー２００をユーザーが把持している図である。
【図７】横置きスタンド機能使用時における本発明のモバイル電子機器カバー２００の状態を示す図である。
【図８】本発明のモバイル電子機器カバー２００の変形例１を示す図である。
【図９】本発明のモバイル電子機器カバー２００の変形例２を示す図である。
【図１０】本発明のモバイル電子機器カバー２００の変形例３を示す図である。
【図１１】本発明のモバイル電子機器カバー２００の変形例４を示す図である。
【図１２】本発明のモバイル電子機器カバー２００の変形例５を示す図である。
【図１３】本発明のモバイル電子機器カバー２００の変形例６を示す図である。
【図１４】本発明のモバイル電子機器カバー２００の変形例７を示す図である。
【図１５】本発明のモバイル電子機器カバー２００の変形例８を示す図である。
【図１６】本発明のモバイル電子機器カバー２００の変形例９を示す図である。
【図１７】本発明のモバイル電子機器カバー２００の変形例１０を示す図である。
【発明を実施するための形態】
【０００９】
以下、添付の図面を参照しながら、本発明の実施形態によるモバイル電子機器用カバーを説明する。なお、本発明の実施形態によるモバイル電子機器用カバーは、以下で例示するものに限られない。例えば以下の実施形態と、後に説明する変形例とを組み合わせることも可能である。
【００１０】
図１及び図２を用いてモバイル電子機器カバー２００の構造を説明する。
２００はスタンド機能付きカバー１０１と背面カバー１００と連結部１２とから構成される。スタンド機能付きカバー１０１は面１、２、３で構成されている。
【００１１】
面２の端部には磁石４が装着されており、面３の端部には磁石５が装着されている。スタンド機能付きカバー１０１にはロック解除ホール９、画面確認ホール１０と、スピーカーホール１１とが空いている。画面確認ホール１０はモバイル電子機器使用時にユーザーが時刻を確認したり、発信者を確認したりするためのホールである。スタンド機能付きカバー１０１は液晶側を覆うカバーである。
【００１２】
モバイル電子機器１４は例えばスマートフォンやタブレット型端末などである。背面カバー１００番はモバイル電子機器１４の背面側を覆うカバーであって一枚の板状帯体であって、連結部１２を介してスタンド機能付きカバー１０１と連結する。背面カバー１００番の連結部１２とは反対側の端部にはL字型カバー８が連結している。
【００１３】
１００番と８番が一体型で成形しても良いし、個別に作ったのちに連結しても良い。８番には磁石６、７が取り付けられている。１０１番のカバーを閉じた時に４番と６番が磁力によって接合し、５番と７番が磁力によって接合する。
【００１４】
１００番と１０１番と１２番は樹脂、布、革、ビニール等様々な素材を用いることができる。８番は鉄などの磁性体で構成することが好ましい。磁性体で構成することによって、６、７の磁石を減らすことができる。それによって、記録媒体のデーター破損の危険性を減らすことができる。
【００１５】
続いて、図３、図４及び図５を用いて２００番のスタンド機能について説明する。
液晶側を覆っているカバー１０１をモバイル電子機器の背面側に折り返し、更に１０１を構成している面１、２、３を分割しているY字で山折りにし、磁石４と５で接合する。これにより１０１が縦置きのスタンドに変形する。
【００１６】
そして１００番は１０１をY字に山折りにした時の頂点３０と接する。一方で１０１の面２の外延部３１と面３の外延部３２と連結部１２とが３辺でテーブルなどの設置面に接する。
【００１７】
従って頂点３０にかかる力を３辺で分散するのでモバイル電子機器１４を安定的に支えることができる。ユーザーがフリップやフラップなど画面をタッチ操作してもモバイル電子機器１４が倒れにくい。従来のスタンド機能付きカバーは動画等の視聴する目的の為、タップ等の操作に弱かったが、本発明のモバイル電子機器カバー２００は動画等の視聴はもちろん、メール作成、電卓、ゲーム等の操作もできる。
【００１８】
また、従来では顔認証解除のために、適度な角度にモバイル電子機器を傾ける必要があったが、本発明のモバイル電子機器カバー２００では机の上に傾斜した状態で固定できるので顔を少しかざすだけでロック解除できる。両手が塞がっているユーザーにとても便利である。
【００１９】
図６はユーザーが本発明のモバイル電子機器カバー２００を把持している図である。スタンド機能付きカバー１０１を折り曲げると紙面垂直方向に孔ができる。ユーザーはこの孔に指をひっかけることで把持しやすくなる。
【００２０】
図７を用いて横向きスタンド機能について説明する。スタンド機能付きカバー１０１を折り返してY字に畳んで折り返すと横向きでも安定してスタンドすることができる。背面カバー１００に対する角度が９０度の範囲であればどのような角度でもスタンド機能を有する。図７（a）では頂点３０が背面カバー１００と接しており、辺３１と辺３３が接地面と接しており、この状態で画面を操作しても倒れることなく安定して操作することができる。
【００２１】
図７（b）ではスタンド機能付きカバー１０１を背面カバー１００から離してスタンドした状態を示す。この場合頂点３０は背面カバー１００と接していないが辺３１と辺３３が接地面と接することで安定して支えることができる。
【００２２】
図７（C）はスタンド機能付きカバー１０１を更に開いてスタンドした状態である。この時、背面カバー１００とスタンド機能付きカバー１０１の角度が９０度を成している。この時は辺３１と辺３３とスタンド機能付きカバー１０１の端部５が接地面に接することで安定的に支える。
【００２３】
図７（a）、（b）、（c）に示すようにスタンド機能付きカバー１０１が背面カバー１００から離れるに従ってモバイル電子機器１４の角度が接地面から立ち上がる。従ってスタンド機能付きカバー１０１の位置を調整することによって好きな角度に調整できる。
上記で説明した磁石４、５、６、７は一例であって、この組み合わせには限定されない。例えば以下のような変形例を用いてもよい。
【００２４】
図８から図１４を用いて磁石の変形例について説明する。図８は変形例１を示す。変形例１は図１で説明した磁石７がない。L字型カバー８は磁性体のため、磁石７を省略してもスタンド機能付きカバー１０１と背面カバー１００との連結に問題はない。
【００２５】
図９は変形例２を示す。変形例２は図１で説明した磁石６がない。変形例１と同様にL字型カバー８は磁性体のため、磁石６を省略してもスタンド機能付きカバー１０１と背面カバー１００との連結に問題はない。
【００２６】
図１０は変形例３を示す。変形例３は図１で説明した磁石６及び磁石７がない。変形例１と同様にL字型カバー８は磁性体のため、磁石６及び７を省略してもスタンド機能付きカバー１０１と背面カバー１００との連結に問題はない。
【００２７】
図１１は変形例４を示す。変形例４は図１で説明した磁石６及び磁石７がない。
更にスタンド機能付きカバー１０１の磁石４の代わりに磁性体４１を設ける。磁石４を磁性体４１に変更しても磁石５と磁性体４１とが接合するのでスタンド機能に問題はない。更に磁石５が磁性体８と接合するので背面カバー１００とスタンド機能付きカバー１０１の接合にも問題はない。
【００２８】
図１２は変形例５を示す。変形例５は図１で説明した磁石６及び磁石７がない。
更にスタンド機能付きカバー１０１の磁石５の代わりに磁性体４２を設ける。磁石５を磁性体４２に変更しても磁石４と磁性体４２とが接合するのでスタンド機能に問題はない。更に磁石４が磁性体８と接合するので背面カバー１００とスタンド機能付きカバー１０１の接合にも問題はない。
【００２９】
図１３は変形例６を示す。変形例６は図１で説明した磁石７がない。
更にスタンド機能付きカバー１０１の磁石４の代わりに磁性体４１を設ける。磁石４を磁性体４１に変更しても磁石５と磁性体４１とが接合するのでスタンド機能に問題はない。
更に磁石５が磁性体８と接合し、磁石６が磁性体４１と接合するので背面カバー１００とスタンド機能付きカバー１０１の接合にも問題はない。
【００３０】
図１４は変形例７を示す。変形例７は図１で説明した磁石６がない。
更にスタンド機能付きカバー１０１の磁石５の代わりに磁性体４２を設ける。磁石５を磁性体４２に変更しても磁石４と磁性体４２とが接合するのでスタンド機能に問題はない。
更に磁石４が磁性体８と接合し、磁石７が磁性体４２と接合するので背面カバー１００とスタンド機能付きカバー１０１の接合にも問題はない。
このようにスタンド機能付きカバー１０１の端部同士が接合することとスタンド機能付きカバー１０１がディスプレイ側を覆って背面カバー１００と接合する条件を満たせばどのような組み合わせを使っても良い。
【００３１】
図１５は本発明のモバイル電子機器カバー２００の変形例８を示す。
カン５０番を取り付けるためのタブ５１を備え、カンにベルトを装着することでベルトを手持ちすることができたり、ジーンズに取り付けたりすることができる。
ベルトをつけることによって鞄の中で本発明のモバイル電子機器カバー２００を取り出しやすい。
【００３２】
図１５（a）に示すような向きで鞄に入れると磁石部分が鞄の底面にいくので他の記憶媒体の磁器不良を軽減することができる。
ユーザーが図１５（b）のようにベルトを手にひっかけて持つことによって、カメラ使用時にシャッターボタンを押しやすくなる。また落下防止の役割を果たす。
【００３３】
図１６は更に長いベルト１８を装着した変形例９である。このように長いベルト１８を装着すると斜め掛けができ、両手があくので便利である。
これまでは背面カバー１００とスタンド機能付きカバー１０１を備える本発明のモバイル電子機器カバー２００を説明してきたが、ディスプレイを覆う機能は必須ではない。本発明のモバイル電子機器カバーはスタンド機能さえ備えていれば足りる。
【００３４】
図１７に示す変形例１０のようにスタンド機能付きカバー１０１がモバイル電子機器１４の背面側に備えられており、Ｙ字に折ることでスタンドを構成する。
上記Ｌ字型カバー形状は一例であってこの形には限定されない。
磁性体がモバイル電子機器のディスプレイに当たる衝撃を抑制する為に、Ｌ字型カバーをコの字あるいはＦ字等としても良い。
【００３５】
すなわちスタンド機能付カバーの磁石がディスプレイに直接当たらないようにＬ字型カバーで磁石を受け止められる形状にすると良い。
上記の実施形態で説明したロック解除ホール９と画面確認ホール１０との位置はモバイル電子機器の機種によって図に示した通りとは限らない。
孔の位置を変えても良いし、無くても良い。
【符号の説明】
【００３６】
２００．モバイル電子機器カバー
１０１．スタンド機能付きカバー
１００．背面カバー
４、５．スタンド機能付きカバー１０１側の磁石
６、７．背面カバー１００側の磁石
８．L字型カバー
１２．連結部
９．ロック解除ホール
１０．画面確認ホール
【図１】
2020194409.tif 000003
【図２】
2020194409.tif 000004
【図３】
2020194409.tif 000005
【図４】
2020194409.tif 000006
【図５】
2020194409.tif 000007
【図６】
2020194409.tif 000008
【図７】
2020194409.tif 000009
【図８】
2020194409.tif 000010
【図９】
2020194409.tif 000011
【図１０】
2020194409.tif 000012
【図１１】
2020194409.tif 000013
【図１２】
2020194409.tif 000014
【図１３】
2020194409.tif 000015
【図１４】
2020194409.tif 000016
【図１５】
2020194409.tif 000017
【図１６】
2020194409.tif 000018
【図１７】
2020194409.tif 000019